(57)【特許請求の範囲】
【請求項１】
破断可能薄肉ラインによって囲繞された除去領域が規定されている円形閉塞壁、該閉塞壁の下面周縁部から垂下する円筒形装着壁、該閉塞壁における該除去領域の上面から上方に延出する円筒形突出壁、半径方向に間隔をおいて該装着壁の外側に位置する円筒形外側壁、円形天面壁及び該天面壁の周縁から垂下する円筒形スカート壁を含み、
該スカート壁はヒンジ手段を介して該外側壁に旋回自在に接続されており、該天面壁及び該スカート壁は該閉塞壁を覆う閉位置と該閉塞壁を露呈せしめる開位置との間を旋回自在であり、
該装着壁と該外側壁とは周方向に間隔をおいて配設された複数個の接続片によって接続されており、該接続片の各々は該装着壁に対して該外側壁が周方向片側に所要角度に渡って相対的に回転することを許容し、
該突出壁の外周面又は内周面には少なくとも１個の周方向被係止手段と軸線方向被係止手段が配設されており、該天面壁の内面には円筒形延出壁が付設されていて、該延出壁の内周面又は外周面には該周方向被係止手段と協働する少なくとも１個の周方向係止手段と該軸線方向被係止手段と協働する軸線方向係止手段が配設されており、
該装着壁を容器の口頸部外周面に係止せしめて該口頸部を密封した状態において、該閉位置にせしめられている該天面壁及び該スカート壁と共に該外側壁を該周方向片側に回転せしめると、該周方向係止手段と該周方向被係止手段との協働によって該突出壁及び該除去領域も付随して該周方向片側に回転されて該破断可能薄肉ラインが破断されて該除去領域が該閉塞壁から分離され、しかる後に該天面壁及び該スカート壁を該開位置に旋回せしめると、該軸線方向係止手段と該軸線方向被係止手段との協働によって該除去領域も付随して旋回せしめられる、
ことを特徴とする一体成形合成樹脂製容器蓋。
【請求項２】
該外側壁の内周面には少なくとも１個の被拘束突起が形成され、該装着壁の外周面には拘束片と該拘束片に対して該周方向片方に所定間隔をおいて位置する拘束突起とが配設されており、該天面壁及び該スカート壁が該周方向片方に回転せしめられると、該被拘束突起が該拘束片を弾性的に乗り越えて該拘束片と該拘束突起との間に進入し、これによって該装着壁に対する該外側壁の周方向両側への回転が拘束される、請求項１記載の一体成形合成樹脂製容器蓋。
【請求項３】
該周方向片側は上方から見て反時計方向である、請求項１又は２記載の一体成形合成樹脂製容器蓋。
【請求項４】
該外側壁には開口が形成されており、該スカート壁及び該外側壁を該周方向片側に回転せしめ、該周方向係止手段と該周方向被係止手段との協働によって該突出壁及び該除去領域も付随して該周方向片側に回転せしめて該破断可能薄肉ラインを破断して該除去領域を該閉塞壁から分離する前において、該装着壁の外周面における該開口に対応した部位には該開口を通して視認することができる第一の表示が配設されている、請求項１から３までのいずれかに記載の一体成形合成樹脂製容器蓋。
【請求項５】
該スカート壁及び該外側壁を該周方向片側に回転せしめ、該周方向係止手段と該周方向被係止手段との協働によって該突出壁及び該除去領域も付随して該周方向片側に回転せしめて該破断可能薄肉ラインを破断して該除去領域を該閉塞壁から分離した後において、該装着壁の外周面における該開口に対応した部位には該開口を通して視認することができる第二の表示が配設されている、請求項４記載の一体成形合成樹脂容器蓋。
【発明の詳細な説明】
【技術分野】
【０００１】
本発明は、破断可能薄肉ラインによって囲繞された除去領域が規定されている閉塞壁を含む合成樹脂製容器蓋に関する。
【背景技術】
【０００２】
醤油、食用油及びドレッシングの如き液体調味料のための合成樹脂製容器蓋として、下記特許文献１には、中栓部材とこの中栓部材とは別個に成形された外蓋部材とから構成された合成樹脂製容器蓋が開示されている。中栓部材は破断可能薄肉ラインによって囲繞された除去領域が規定されている円形閉塞壁、この閉塞壁に付設された円筒形装着壁、及び閉塞壁における除去領域の上面から上方に延出する円筒形突出壁を有する。突出壁の外周面には周方向被係止手段と軸線方向被係止手段とが配設されている。外蓋部材は円筒形外側壁、円形天面壁及び円筒形スカート壁を含んでいる。外側壁は中栓部材の装着壁に被嵌され、天面壁の周縁から垂下するスカート壁はヒンジ手段を介して外側壁に旋回自在に接続され、天面壁及びスカート壁は中栓部材の閉塞壁を覆う閉位置と中栓部材の閉塞壁を露呈せしめる開位置との間を旋回自在である。天面壁の内面には円筒形延出壁が付設されており、この延出壁の外周面には周方向係止手段及び軸線方向係止手段が配設されている。中栓部材の装着壁を容器の口頸部に係止せしめて口頸部を密封した状態において、閉位置に位置せしめられている天面壁及びスカート壁と共に外側壁を上方から見て反時計方向に回転せしめると、周方向係止手段と周方向被係止手段との協働によって突出壁及び除去領域も付随して回転せしめられ、これによって破断可能薄肉ラインが破断されて除去領域が閉塞壁から分離される。しかる後に天面壁及びスカート壁を閉位置から開位置に旋回せしめると、軸線方向係止手段と軸線方向被係止手段との協働によって突出壁及び除去領域も付随して旋回せしめられる。
【先行技術文献】
【特許文献】
【０００３】
【特許文献１】特開２０１１−１７３６３２号公報
【発明の概要】
【発明が解決しようとする課題】
【０００４】
特許文献１に開示されている上記のとおりの容器蓋は、天面壁及びスカート壁を適宜に操作することによって破断可能薄肉ラインを破断して除去領域を閉塞壁から分離し、そして更に除去領域及びこれに配設された突出壁を閉塞壁から離隔することができる。従って、除去領域の上面に引張リングを付設し、この引張リングに指を掛けて引張って破断可能薄肉ラインを破断する形態の容器蓋に比較して、所謂使用勝手が改良されている。しかしながら、特許文献１に開示されている上記のとおりの容器蓋も未だ充分に満足し得るものではなく、次のとおりの解決すべき問題を有する。第一に、中栓部材と外蓋部材とを別個に成型し、しかる後に所要とおりに組み合わせることが必要であり、製作が必ずしも容易ではなく、製作コストが比較的高い。第二に、破断可能薄肉ラインを破断した後においても、中栓部材と外蓋部材との相対的回転が阻止されることはなく、使用中に偶発的に中栓部材に対して外蓋部材が回転し、これに起因して不測の事態が発生してしまう虞がある。
【０００５】
本発明は上記事実に鑑みてなされたものであり、その主たる技術的課題は、破断可能薄肉ラインによって囲繞された除去領域が規定されている閉塞壁を含む形態の容器蓋であって、所謂使用勝手が優れている（即ち、上記特許文献１に開示されている容器蓋と同様に、除去領域の上面に付設された引張リングに指を掛けて引張って破断可能薄肉ラインを破断する必要がない）にも拘らず一体成形することができる、新規且つ改良された一体成形合成樹脂製容器蓋を提供することである。
【０００６】
本発明の他の技術的課題は、上記主たる技術的課題の達成に加えて、破断可能薄肉ライ
ンを破断した後においても、閉塞壁及び装着壁に対する外側壁、天面壁及びスカート壁の
相対的回転が充分確実に阻止される、新規且つ改良された一体成形合成樹脂製容器蓋を提
供することである。
【課題を解決するための手段】
【０００７】
本発明者等は、鋭意研究の結果、装着壁と外側壁とを、装着壁に対して外側壁が周方向片側に所要角度に渡って相対的に回転することを許容する複数個の接続片で接続し、かくして上記主たる技術的課題を達成することができることを見出した。
【０００８】
加えて、外側壁の内周面には少なくとも１個の被拘束突起を形成し、装着壁の外周面には拘束片とこの拘束片に対して周方向片方に所定間隔をおいて位置する拘束突起とを配設し、天面壁及びスカート壁が周方向片方に回転せしめられると、被拘束突起が拘束片を弾性的に乗り越えて拘束片と拘束突起との間に進入し、これによって装着壁に対する外側壁の周方向両側への回転が拘束されるように構成することによって、上記他の技術的課題を達成することができることを見出した。
【０００９】
即ち、本発明によれば、上記主たる技術的課題を達成する一体成形合成樹脂製容器蓋として、破断可能薄肉ラインによって囲繞された除去領域が規定されている円形閉塞壁、該閉塞壁の下面周縁部から垂下する円筒形装着壁、該閉塞壁における該除去領域の上面から上方に延出する円筒形突出壁、半径方向に間隔をおいて該装着壁の外側に位置する円筒形外側壁、円形天面壁及び該天面壁の周縁から垂下する円筒形スカート壁を含み、
該スカート壁はヒンジ手段を介して該外側壁に旋回自在に接続されており、該天面壁及び該スカート壁は該閉塞壁を覆う閉位置と該閉塞壁を露呈せしめる開位置との間を旋回自在であり、
該装着壁と該外側壁とは周方向に間隔をおいて配設された複数個の接続片によって接続されており、該接続片の各々は該装着壁に対して該外側壁が周方向片側に所要角度に渡って相対的に回転することを許容し、
該突出壁の外周面又は内周面には少なくとも１個の周方向被係止手段と軸線方向被係止手段が配設されており、該天面壁の内面には円筒形延出壁が付設されていて、該延出壁の内周面又は外周面には該周方向被係止手段と協働する少なくとも１個の周方向係止手段と該軸線方向被係止手段と協働する軸線方向係止手段が配設されており、
該装着壁を容器の口頸部外周面に係止せしめて該口頸部を密封した状態において、該閉位置にせしめられている該天面壁及び該スカート壁と共に該外側壁を該周方向片側に回転せしめると、該周方向係止手段と該周方向被係止手段との協働によって該突出壁及び該除去領域も付随して該周方向片側に回転されて該破断可能薄肉ラインが破断されて該除去領域が該閉塞壁から分離され、しかる後に該天面壁及び該スカート壁を該開位置に旋回せしめると、該軸線方向係止手段と該軸線方向被係止手段との協働によって該除去領域も付随して旋回せしめられる、
ことを特徴とする一体成形合成樹脂製容器蓋が提供される。
【００１０】
上記他の技術的課題を達成する一体成形合成樹脂製容器蓋においては、該外側壁の内周面には少なくとも１個の被拘束突起が形成され、該装着壁の外周面には拘束片と該拘束片に対して該周方向片方に所定間隔をおいて位置する拘束突起とが配設されており、該天面壁及び該スカート壁が該周方向片方に回転せしめられると、該被拘束突起が該拘束片を弾性的に乗り越えて該拘束片と該拘束突起との間に進入し、これによって該装着壁に対する該外側壁の周方向両側への回転が拘束される。
【００１１】
該周方向片側は上方から見て反時計方向であるのが好都合である。該外側壁には開口が形成されており、該スカート壁及び該外側壁を該周方向片側に回転せしめ、該周方向係止手段と該周方向被係止手段との協働によって該突出壁及び該除去領域も付随して該周方向片側に回転せしめて該破断可能薄肉ラインを破断して該除去領域を該閉塞壁から分離する前において、該装着壁の外周面における該開口に対応した部位には該開口を通して視認することができる第一の表示が配設されているのが好適である。更に好ましくは、該スカート壁及び該外側壁を該周方向片側に回転せしめ、該周方向係止手段と該周方向被係止手段との協働によって該突出壁及び該除去領域も付随して該周方向片側に回転せしめて該破断可能薄肉ラインを破断して該除去領域を該閉塞壁から分離した後において、該装着壁の外周面における該開口に対応した部位には該開口を通して視認することができる第二の表示が配設されている。第一の表示と第二の表示とは一部を共通化することができる。
【発明の効果】
【００１２】
本発明に従って構成された容器蓋は一体的に成型することができ、比較的容易に且つ比較的安価に製作することができる。加えて、被拘束突起、拘束片及び拘束突起が配設されている形態においては、破断可能薄肉ラインを破断した後においては、被拘束突起が拘束突起と拘束片との間に拘束されることによって、閉塞壁及び装着壁に対する外側壁、天面壁及びスカート壁の相対的回転が充分確実に阻止される。
【図面の簡単な説明】
【００１３】
【図１】本発明に従って構成された容器蓋の好適実施形態を、天面壁及びスカート壁を開位置にせしめた状態で示す平面図。
【図２】図１の容器蓋を、天面壁及びスカート壁を開位置にせしめた状態で示す断面図。
【図３】図１の容器蓋を、天面壁及びスカート壁を閉位置にせしめた状態で示す断面図。
【図４】図１の容器蓋を、天面壁及びスカート壁を閉位置にせしめた状態で示す斜面図。
【図５】図１の容器蓋を、図４に示す状態から外側壁、天面壁及びスカート壁を上方から見て時計周方向に２０度回転せしめた状態で示す斜面図。
【図６】図１の容器蓋を、天面壁及びスカート壁を閉位置にせしめた状態における種々の構成要素の相対的関係を示す模式図。
【図７】図１の容器蓋を、図６に示す状態から外側壁、天面壁及びスカート壁を図６において反時計方向に１０度回転せしめた状態で示す模式図。
【図８】図１の容器蓋を、図６に示す状態から外側壁、天面壁及びスカート壁を図６において反時計方向に２０度回転せしめた状態で示す模式図。
【図９】図１の容器蓋を、図６に示す状態から外側壁、天面壁及びスカート壁を図６において反時計方向に３８度回転せしめた状態で示す模式図。
【図１０】図１の容器蓋を、図６に示す状態から外側壁、天面壁及びスカート壁を図６において反時計方向に４０度回転せしめた状態で示す模式図。
【図１１】本発明に従って構成された容器蓋の他の実施形態を、天面壁及びスカート壁を閉位置にせしめた状態で示す断面図。
【発明を実施するための形態】
【００１４】
以下、本発明の実施形態を図示している添付図面を参照して、更に詳細に説明する。
【００１５】
図１及び図２を参照して説明すると、本発明に従って構成された全体を番号２で示す容器蓋は、その全体がポリエチレン又はポリプロピレンの如き適宜の合成樹脂から一体に形成されている。図示の容器蓋２は全体として水平に延在する円形閉塞壁４を有する。この閉塞壁４の中央には除去領域が形成されていることが重要である。図示の実施形態においては、閉塞壁４の中央部に円形破断可能薄肉ライン６によって円形除去領域８が規定されている。閉塞壁４の下面には、最外周縁部から垂下する円筒形装着壁１０とこの装着壁１０よりも半径方向内側で且つ上記破断可能薄肉ライン６よりも半径方向外側において下方に延出する環状シール壁１２とが配設されている。装着壁１０の内周面下部には、半径方向内方に突出した環状係止突条１８が形成されている。シール壁１２は、下方に向かって半径方向外方に傾斜して延び、次いで円弧上に延び、更に下方に向かって半径方向内方に傾斜して延びる外周面１４と、下方に向かって半径方向外方に傾斜して延び、次いで下方に実質上鉛直に延びる内周面１６とを有する。閉塞壁４の上面には、その最外周縁部から上方に延出する環状係止壁２０と、この係止壁２０よりも半径方向内側において上方に延出する注出案内壁２２が形成されている。係止壁２０の外周面上端部には半径方向外方に突出した環状係止突条２６が形成されている。注出案内壁２２は閉塞壁４の上面から鉛直上方に延出する略円筒形状であり、その上端部は半径方向外方に湾曲せしめられている。図２を参照することによって明確に理解される如く、注出案内壁２２における図２において右側部分は左側部分に比べて突出長さが短く設定されている。
【００１６】
閉塞壁４の上面には円筒形突出壁２４が配設されていることが重要である。上記係止壁２０及び注出案内壁２２は上記破断可能薄肉ライン６よりも半径方向外側に位置しているが、突出壁２４は上記破断可能薄肉ライン６よりも半径方向内側に位置している。換言すれば、突出壁２４は上記除去領域８の上面から上方に延出せしめられている。突出壁２４の外周面には周方向被係止手段２８と軸線方向被係止手段３０とが配設されている。図示の実施形態においては、周方向被係止手段２８は、突出壁２４の外周面下部に周方向に等間隔をおいて配設された複数個、図示の場合は６個、のラチェット爪３２から構成されている。ラチェット爪３２の各々は図１において時計方向下流側に位置する切り立った鋭い係止面と時計方向上流側に位置する緩やかな傾斜面とを有する。軸線方向被係止手段３０は、突出壁２４の外周面上端部に配設された環状突条から構成されている。周方向被係止手段２８は後述する周方向係止手段と協働し、軸線方向被係止手段３０は後述する軸線方向係止手段と協働する。
【００１７】
上記装着壁１０よりも半径方向外側には円筒形外側壁３４が形成されている。この外側壁３４は比較的肉厚の下部３６と比較的肉薄の上部３８とを有する。外側壁３４の下部３６の内周面上端部と上記装着壁１０の下端面との間には、周方向に等角度間隔をおいて複数個、図示の場合には８個の接続片４０が配設されている。接続片４０の各々は外側壁３４の下部３６の内周面から半径方向内方に突出する第一の部分４２、この第一の部分４２の上面に接続された一端から周方向に延びる第二の部分４４及び第二の部分４４の他端から装着壁１０の下端面に接続された他端まで半径方向内方に延びる第三の部分４６から構成されている。接続片４０、特にその第二の部分４４、の横断面積は比較的小さく、後に更に言及する如く比較的小さい力によって弾性的に変形し、これによって装着壁１０に対して外側壁３４が周方向片側即ち図１において反時計方向に所要角度に渡って相対的に回転することを許容する。
【００１８】
図１及び図２を参照して説明を続けると、外側壁３４の上部３８の内周面には、周方向に間隔をおいて複数個、図示の場合には４個、の被拘束突起４８が配設されている。被拘束突起４８の各々は外側壁３４の上部３８の内周面から半径方向内方に突出せしめられている。所望ならば、被拘束突起４８の各々の先端を、小さい横断面積を有し外側壁３４が装着壁１０に対して相対的に回転せしめられる際に容易に破断される破断部によって装着壁１０の外周面に接続することもできる。一方、装着壁１０の外周面には、上記被拘束突起４８に対応せしめて、周方向に等間隔をおいて複数個、図示の場合には４個、の拘束片５０が配設されていると共に、かかる拘束片５０の各々に対して周方向片側即ち図１において反時計方向に所定間隔をおいて拘束突起５２が配設されている。拘束片５０は装着壁１０の外周面から半径方向外方に向かって図１において反時計方向に傾斜して延出せしめられた細長片から構成されており、後に更に言及する如く、図１において反時計方向から力が加えられると充分容易に半径方向内側に変位せしめられるが、図１において時計方向から加えられる力に対しては抵抗する。拘束突起５２の各々は装着壁１０の外周面から半径方向外方に突出せしめられており、図１において時計方向下流側に切り立った鋭い面を有する。所望ならば、拘束突起５２の各々の先端を、小さい横断面積を有し外側壁３４が装着壁１０に対して相対的に回転せしめられる際に容易に破断される破断部によって外側壁３４の内周面に接続することもできる。
【００１９】
図１及び図２と共に図３及び図４を参照して説明をすると、容器蓋２は、更に、円形天面壁５４とこの天面壁５４の周縁から垂下する円筒形スカート壁５６を有する。スカート壁５６の先端（図３に示す状態において下端）は、周方向特定部位においてそれ自体は周知の形態でよいヒンジ手段５８を介して上記外側壁３４の上端に旋回自在に装着されており、天面壁５４及びスカート壁５６は図１及び図２に図示する成型時の位置よりも図２において幾分反時計方向に傾動した開位置と図３及び図４に図示する閉位置との間を旋回自在である。天面壁５４及びスカート壁５６が開位置にせしめられると閉塞壁４が露呈され、天面壁５４及びスカート壁５６が閉位置にせしめられると閉塞壁４を覆う。スカート壁５６には、上記ヒンジ手段５８に対して直径方向反対側においてスカート壁５６の外周面下端から突出する弧状突出片６０が付設されている。スカート壁５６の内周面下端部には環状係止溝６２が配設されている。天面壁５４の内面には、上記注出案内壁２２に対応する位置から垂下する円筒形状のシール壁６４が形成されている。
【００２０】
天面壁５４の内面には、上記突出壁２４に対応して円筒形延出壁６６が配設されていることが重要である。図示の実施形態においては、延出壁６６は比較的肉厚の基部６８と比較的肉薄の延出端部７０とを有する。延出壁６６の内周面には周方向係止手段７２及び軸線方向係止手段７４が配設されている。図示の実施形態においては、周方向係止手段７２は、延出壁６６の延出端部７０の内周面に周方向に間隔をおいて配設された複数個、図示の場合は６個、のラチェット爪７６から構成されている。ラチェット爪７６の各々は、図１において時計方向下流側に位置する切り立った鋭い係止面と時計方向上流側に位置する緩やかな傾斜面とを有する。軸線方向係止手段７４は、延出壁６６の基部の内周面延出端（図３において下端）に配設された環状突条から構成されている。後に更に言及する如く、周方向係止手段７２は上記周方向被係止手段２８と協働し、軸線方向係止手段７４は上記軸線方向被係止手段３０と協働する。
【００２１】
天面壁５４及びスカート壁５６が図１及び図２に図示する成型位置から図３に図示する閉位置に旋回動せしめられると、スカート壁５６の内周面下端部に形成されている係止溝６２が係止壁２０の外周面上端部に形成されている係止突条２６に係止せしめられ、これによって天面壁５４及びスカート壁５６が閉位置に解除自在に保持される。天面壁５４の内面から垂下するシール壁６４は注出案内壁２２内に進入してその内周面に密接せしめられる。上述した通り注出案内壁２２は図２において右側部（即ちヒンジ手段５８側の部分）の突出長さが短く設定されている故に、シール壁６４は充分円滑に注出案内壁２２内に進入することができる。延出壁６６の内周面に形成されている軸線方向係止手段７４は突出壁２４の外周面に形成されている軸線方向被係止手段３０を弾性的に乗り越えてその下方に係止せしめられる。延出壁６６の内周面に形成されているラチェット爪７６は、図６に明確に図示する如く、突出壁２４の外周面に形成されているラチェット爪３２に対して周方向に離隔して位置する。
【００２２】
図４に明確に図示する如く、上記外側壁３４の所定部位には開口７８が形成されている。そして、装着壁１０の外周面における、図４に図示する状態において開口７８を通して露呈する、従って開口７８を通して目視できる部位には第一の表示を構成する「未開封」の文字が施されている。装着壁１０の外周面における、後に言及する通りにして装着壁１０に対して外側壁３４が略２０度に渡って回転せしめられた時に開口７８を通して露呈する、従って開口７８を通して目視できる部位には第二の表示を構成する「開封済」の文字が施されている。第一の表示における「開封」と第二の表示における「開封」は第一の表示と第二の表示とに共通して利用されている。
【００２３】
上述したとおりの容器蓋２の使用態様を説明すると、次のとおりである。容器蓋２は図３に二点鎖線で図示する通りの形態の口頸部を有する容器に適用される。適宜の合成樹脂あるいはガラスから形成することができる容器は、全体として円筒形状である口頸部８０を有する。口頸部８０の外周面上端部には係止突条８２が形成されている。容器内に例えば液体調味料である内容物を充填した後に口頸部８０に容器蓋２が装着され、口頸部８０が密封される。口頸部８０に容器蓋２を装着する際には、天面壁５４及びスカート壁５６を図３及び図４に図示する閉位置にせしめた状態で口頸部８０に容器蓋２を被嵌し、下方に押圧して口頸部８０に対して図３に図示する位置まで下降せしめる。装着壁１０の係止突条１８は口頸部８０の係止突条８２を弾性的に乗り越えてその下方に係止せしめられ、シール壁１２は口頸部８０内に進入せしめられて口頸部８０の内周面に密接せしめられる。かようにして口頸部８０に容器蓋２を装着した状態においては、図４に図示する如く、外側壁３４の形成されている開口７８を通して第一の表示「未開封」が目視される。
【００２４】
容器内に収容されている内容物を消費する際には、最初に、例えば外側壁３４の外周面に指を掛けて外側壁３４、天面壁５４及びスカート壁５６を図６及び図７において反時計方向に、図６に図示する状態から図７に図示する状態まで略１０度の角度範囲に渡って回転せしめる。かくすると、被拘束突起４８及び／又は拘束突起５２に破断部が付設されている場合にはこれらの破断部が破断され、そして図７に明確に図示する如く、突出壁２４の外周面に形成されているラチェット爪３２の係止面に延出壁６６の内周面に形成されているラチェット爪７６の係止面が当接せしめられる。外側壁３４、天面壁５４及びスカート壁５６を図６に図示する状態から略２０度の角度位置である図８に図示する位置まで更に回転せしめると、ラチェット爪３２とラチェット爪７６の協働によって突出壁２４も付随して回転せしめられ、これによって閉塞壁４に配設されている破断可能薄肉ライン６が破断され、除去領域８及び突出壁２４が閉塞壁４から離脱される。外側壁３４、天面壁５４及びスカート壁５６が図８に図示する位置まで回転せしめられると、図５に図示する如く、外側壁３４の形成されている開口７８を通して第二の表示「開封済」が目視されるようになり、破断可能薄肉ライン６が破断されたことが明示される。次いで、外側壁３４、天面壁５４及びスカート壁５６を図６に図示する状態から略３８度の角度位置である図９に図示する位置まで更に回転せしめられると、外側壁３４の内周面に配設されている被拘束突起４８が装着壁１０の外周面に配設されている拘束片５０を弾性的に乗り越えて拘束片５０と拘束突起５２との間に進入する。上述したとおり拘束片５０は図１、図８及び図９において反時計方向から力が加えられると充分容易に半径方向内側に変位せしめられるが、図１、図８及び図９において時計方向から加えられる力に対しては抵抗する。従って、被拘束突起４８が一旦拘束片５０を弾性的に乗り越えた後においては、外側壁３４、天面壁５４及びスカート壁５６が図９において時計方向に戻ることが阻止される。外側壁３４、天面壁５４及びスカート壁５６を図６に図示する状態から略４０度の角度位置である図１０に図示する位置まで更に回転せしめられると、外側壁３４の内周面に配設されている被拘束突起４８が装着壁１０の外周面に配設されている拘束突起５２に当接して更に反時計方向に回転することが阻止される（従って、装着壁１０に対する外側壁３４、天面壁５４及びスカート壁５６の反時計方向及び時計方向の回転が実質上阻止される）と共に、消費者は外側壁３４、天面壁５４及びスカート壁５６を所要角度位置まで回転せしめたことを触感的に認識することができる。図６乃至図１０を比較参照することによって明確に理解される如く、装着壁１０に対して外側壁３４、天面壁５４及びスカート壁５６が反時計方向に回転せしめられる際には、接続片４０は適宜に変形乃至変位せしめられる。
【００２５】
しかる後に、消費者は例えばスカート壁５６に付設されている突出片６０に指を掛けて天面壁５４及びスカート壁５６を開位置、即ち図１及び図２に図示する成型時の位置よりも図２において幾分反時計方向に傾動した開位置、に旋回動せしめる。かくすると、延出壁６６の内周面に形成されている軸線方向係止手段７４が突出壁２４の外周面に形成されている軸線方向被係止手段３０に係止せしめられている故に、閉塞壁４から離脱された除去領域８及び突出壁２４も付随して旋回動せしめられ、閉塞壁４には離脱された除去領域８に対応した排出口が生成される。しかる後においては、容器を傾動せしめることによって注出案内壁２２を通して内容物を注出することができる。
【００２６】
而して、図１乃至図１０に図示する上述した実施形態においては、閉塞壁４に配設した突出壁２４の外周面に周方向被係止手段２８及び軸線方向被係止手段３０を形成し、天面壁５４に配設した延出壁６６の内周面に周方向係止手段７２及び軸線方向係止手段７４を形成しているが、所望ならば、突出壁の内径を延出壁の外径よりも大きくして、突出壁の内周面に周方向被係止手段及び軸線方向被被係止手段を形成し、延出壁の外周面に周方向係止手段及び軸線方向係止手段を形成することもできる。
【００２７】
図１１には本発明に従って構成された容器蓋の変形実施形態が図示されている。図１１に図示する容器蓋１０２においては、閉塞壁１０４の上面に配設されている突出壁１２４は比較的大径の下部１２４ａと比較的小径の上部１２４ｂとを有し、下部１２４ａと上部１２４ｂとの間には実質上水平に延在する環状壁１２４ｃが存在する。そして、周方向被係止手段１２８は下部１２４ａの外周面に配設され、軸線方向被係止手段１３０が上部１２４ｂの外周面に配設されている。一方、天面壁１５４の内面には比較的大径の外側延出壁１６６ａと比較的小径の内側延出壁１６６ｂとが配設されている。そして、外側延出壁１６６ａの内周面に周方向係止手段１７２が形成され、内側延出壁１６６ｂの内周面に軸線方向係止手段１７４が形成されている。図１１に図示する実施形態における上述した構成以外の構成は、図１乃至図１０に図示する上記実施形態と実質上同一である。
【符号の説明】
【００２８】
２：容器蓋
４：閉塞壁
６：破断可能薄肉ライン
８：除去領域
１０：装着壁
２４：突出壁
２８：周方向被係止手段
３０：軸線方向被係止手段
３４：外側壁
４０：接続片
４８：被拘束突起
５０：拘束片
５２：拘束突起
５４：天面壁
５６：スカート壁
６６：延出壁
７２：周方向係止手段
７４：軸線方向係止手段
７８：開口
８０：容器の口頸部
１０２：容器蓋
１０４：閉塞壁
１２４：突出壁
１２４ａ：突出壁の下部
１２４ｂ：突出壁の上部
１２８：周方向被係止手段
１３０：軸線方向被係止手段
１５４：天面壁
１６６ａ：外側延出壁
１６６ｂ：内側延出壁
１７２：周方向係止手段
１７４：軸線方向係止手段
【図１】
0005918991.tif 000002
【図２】
0005918991.tif 000003
【図３】
0005918991.tif 000004
【図４】
0005918991.tif 000005
【図５】
0005918991.tif 000006
【図６】
0005918991.tif 000007
【図７】
0005918991.tif 000008
【図８】
0005918991.tif 000009
【図９】
0005918991.tif 000010
【図１０】
0005918991.tif 000011
【図１１】
0005918991.tif 000012